(57)【特許請求の範囲】
【請求項１】
ユーザの体温を検知する非接触型の人体温度検知手段と、
覚醒時体温、入眠前体温上昇、入眠時体温及び睡眠時体温の睡眠体温特性がデータとして格納された記憶手段と、
おやすみモード時に前記人体温度検知手段を通してユーザの体温を測定し、その体温を前記睡眠体温特性と照らし合わせてユーザの入眠前、入眠及び睡眠中を順次に判別する入眠判別手段と、
該入眠判別手段の判別順に従って本機を制御する制御手段とを備え、
前記入眠判別手段は、おやすみモード以外において、ユーザの入眠を検知したときにうたた寝と判断し、
前記制御手段は、前記入眠判別手段によりうたた寝と判断されたとき、その判断に応じて本機を制御することを特徴とする空気調和機。
【請求項２】
ユーザの呼吸を検知する気圧検知手段と、
入眠前及び入眠時の呼吸回数の変化を示す睡眠呼吸特性がデータとして格納された記憶手段と、
おやすみモード時に前記気圧検知手段を通して所定時間の間のユーザの呼吸回数を繰り返し測定し、その呼吸回数を前記睡眠呼吸特性と照らし合わせてユーザの入眠前及び入眠を順次に判別する入眠判別手段と、
該入眠判別手段の判別順に従って本機を制御する制御手段とを備え、
前記入眠判別手段は、おやすみモード以外において、ユーザの入眠を検知したときにうたた寝と判断し、
前記制御手段は、前記入眠判別手段によりうたた寝と判断されたとき、その判断に応じて本機を制御することを特徴とする空気調和機。
【請求項３】
ユーザの画像を取得する画像入力手段と、
入眠前及び入眠時の寝返り回数の変化を示す睡眠寝返り特性がデータとして格納される記憶手段と、
おやすみモード時に前記画像入力手段を通して所定時間の間のユーザの寝返り回数を繰り返し測定し、その寝返り回数を前記睡眠寝返り特性と照らし合わせてユーザの入眠前及び入眠を順次に判別する入眠判別手段と、
該入眠判別手段の判別順に従って本機を制御する制御手段とを備え、
前記睡眠寝返り特性は、ユーザが就寝してから覚醒するまでの間に前記画像入力手段によって取得し、
前記入眠判別手段は、おやすみモード以外において、ユーザの入眠を検知したときにうたた寝と判断し、
前記制御手段は、前記入眠判別手段によりうたた寝と判断されたとき、その判断に応じて本機を制御することを特徴とする空気調和機。
【請求項４】
ユーザの体温を検知する非接触型の人体温度検知手段と、
ユーザの呼吸を検知する気圧検知手段と、
覚醒時体温、入眠前体温上昇、入眠時体温及び睡眠時体温の睡眠体温特性と入眠前及び入眠時の呼吸回数の変化を示す睡眠呼吸特性とがそれぞれデータとして格納された記憶手段と、
おやすみモード時に前記人体温度検知手段を通してユーザの体温を測定すると共に、前記気圧検知手段を通して所定時間の間のユーザの呼吸回数を繰り返し測定し、前記体温を前記睡眠体温特性と照らし合わせると共に、前記呼吸回数を前記睡眠呼吸特性と照らし合わせ、これらからユーザの入眠前及び入眠を順次に判別し、そして、前記体温と前記睡眠体温特性との照らし合わせからユーザの睡眠中を判別する入眠判別手段と、
該入眠判別手段の判別順に従って本機を制御する制御手段とを備え、
前記入眠判別手段は、おやすみモード以外において、ユーザの入眠を検知したときにうたた寝と判断し、
前記制御手段は、前記入眠判別手段によりうたた寝と判断されたとき、その判断に応じて本機を制御することを特徴とする空気調和機。
【請求項５】
ユーザの体温を検知する非接触型の人体温度検知手段と、
ユーザの画像を取得する画像入力手段と、
覚醒時体温、入眠前体温上昇、入眠時体温及び睡眠時体温の睡眠体温特性がデータとして格納され、入眠前及び入眠時の寝返り回数の変化を示す睡眠寝返り特性がデータとして格納される記憶手段と、
おやすみモード時に前記人体温度検知手段を通してユーザの体温を測定すると共に、前記画像入力手段を通して所定時間の間のユーザの寝返り回数を繰り返し取得し、前記体温を前記睡眠体温特性と照らし合わせると共に、前記寝返り回数を前記睡眠寝返り特性と照らし合わせ、これらからユーザの入眠前及び入眠を順次に判別し、そして、前記体温と前記睡眠体温特性との照らし合わせからユーザの睡眠中を判別する入眠判別手段と、
該入眠判別手段の判別順に従って本機を制御する制御手段とを備え、
前記睡眠寝返り特性は、ユーザが就寝してから覚醒するまでの間に前記画像入力手段によって取得し、
前記入眠判別手段は、おやすみモード以外において、ユーザの入眠を検知したときにうたた寝と判断し、
前記制御手段は、前記入眠判別手段によりうたた寝と判断されたとき、その判断に応じて本機を制御することを特徴とする空気調和機。
【請求項６】
ユーザの呼吸を検知する気圧検知手段と、
ユーザの画像を取得する画像入力手段と、
入眠前及び入眠時の呼吸回数の変化を示す睡眠呼吸特性がデータとして格納され、入眠前及び入眠時の寝返り回数の変化を示す睡眠寝返り特性がデータとして格納される記憶手段と、
おやすみモード時に前記気圧検知手段を通して所定時間の間のユーザの呼吸回数を繰り返し測定すると共に、前記画像入力手段を通して所定時間の間のユーザの寝返り回数を繰り返し測定し、前記呼吸回数を前記睡眠呼吸特性と照らし合わせると共に、前記寝返り回数を前記睡眠寝返り特性と照らし合わせ、これらからユーザの入眠前及び入眠を順次に判別する入眠判別手段と、
該入眠判別手段の判別順に従って本機を制御する制御手段とを備え、
前記睡眠寝返り特性は、ユーザが就寝してから覚醒するまでの間に前記画像入力手段によって取得し、
前記入眠判別手段は、おやすみモード以外において、ユーザの入眠を検知したときにうたた寝と判断し、
前記制御手段は、前記入眠判別手段によりうたた寝と判断されたとき、その判断に応じて本機を制御することを特徴とする空気調和機。
【請求項７】
ユーザの体温を検知する非接触型の人体温度検知手段と、
ユーザの呼吸を検知する気圧検知手段と、
ユーザの画像を取得する画像入力手段と、
覚醒時体温、入眠前体温上昇、入眠時体温及び睡眠時体温の睡眠体温特性と入眠前及び入眠時の呼吸回数の変化を示す睡眠呼吸特性とがデータとして格納され、入眠前及び入眠時の寝返り回数の変化を示す睡眠寝返り特性がデータとして格納される記憶手段と、
おやすみモード時に前記人体温度検知手段を通してユーザの体温を測定し、前記気圧検知手段を通して所定時間の間のユーザの呼吸回数を繰り返し測定すると共に、前記画像入力手段を通して所定時間の間のユーザの寝返り回数を繰り返し測定し、前記体温を前記睡眠体温特性と照らし合わせると共に、前記呼吸回数を前記睡眠呼吸特性と照らし合わせ、かつ、前記寝返り回数を前記睡眠寝返り特性と照らし合わせ、これらからユーザの入眠前及び入眠を順次に判別し、そして、前記体温と前記睡眠体温特性との照らし合わせからユーザの睡眠中を判別する入眠判別手段と、
該入眠判別手段の判別順に従って本機を制御する制御手段とを備え、
前記睡眠寝返り特性は、ユーザが就寝してから覚醒するまでの間に前記画像入力手段によって取得し、
前記入眠判別手段は、おやすみモード以外において、ユーザの入眠を検知したときにうたた寝と判断し、
前記制御手段は、前記入眠判別手段によりうたた寝と判断されたとき、その判断に応じて本機を制御することを特徴とする空気調和機。
【請求項８】
前記入眠判別手段は、前記睡眠体温特性において、ユーザの体温が覚醒時体温から入眠前体温上昇があったときに入眠前と判断し、その後、入眠時体温まで下がったときにユーザが入眠したと判断し、そして、ユーザの体温がさらに下がって睡眠時体温まで低下したとき睡眠中と判断することを特徴とする請求項１、４、５、７の何れかに記載の空気調和機。
【請求項９】
前記入眠判別手段は、ユーザの体温を前記睡眠体温特性と照らし合わせて得た過去のユーザの睡眠体温特性から体温の変動幅を算出し、この変動幅を基に前記記憶手段に格納された睡眠体温特性の入眠前上昇体温と入眠時体温をそれぞれ補正し、これを定期的に行うことを特徴とする請求項１、４、５、７、８の何れかに記載の空気調和機。
【請求項１０】
前記記憶手段に季節毎の睡眠体温特性がデータとして格納され、
前記入眠判別手段は、おやすみモード時に、運転モードから季節を判別して当該季節の睡眠体温特性を選択することを特徴とする請求項１、４、５、７、８、９の何れかに記載の空気調和機。
【請求項１１】
前記入眠判別手段は、前記睡眠呼吸特性において、所定時間前と比べユーザの呼吸回数がさらに減少し、この状態が続いたときにユーザが入眠したと判断することを特徴とする請求項２、４、６、７の何れかに記載の空気調和機。
【請求項１２】
前記入眠判別手段は、前記睡眠寝返り特性において、所定時間前と比べユーザの寝返り回数がさらに減少し、この状態が続いたときにユーザが入眠したと判断することを特徴とする請求項３、５、６、７の何れかに記載の空気調和機。
【請求項１３】
前記制御手段は、切タイマ時の動作において、前記入眠判別手段によりユーザの入眠が判別されてから所定時間経過したときに、切タイマ動作前であっても本機の運転を停止することを特徴とする請求項１乃至１２の何れかに記載の空気調和機。
【請求項１４】
室内の温度を検知する室温検知手段を備え、
前記制御手段は、前記入眠判別手段の判別順に従って本機を制御する際、前記室温検知手段の検知室温も考慮に入れて制御することを特徴とする請求項１乃至１３の何れかに記載の空気調和機。
【請求項１５】
室内の湿度を検知する湿度検知手段を備え、
前記制御手段は、前記入眠判別手段の判別順に従って本機を制御する際、前記湿度検知手段の検知湿度も考慮に入れて制御することを特徴とする請求項１４記載の空気調和機。
【発明の詳細な説明】
【技術分野】
【０００１】
本発明は、おやすみモード時におけるユーザの睡眠を快適にする空気調和機に関するものである。
【背景技術】
【０００２】
従来のおやすみモード付空気調和機は、おやすみモードの動作時間や空気調和機の吸い込み温度（室内機周辺の空気温度）に応じて室内の空調をコントロールしている（例えば、特許文献１参照）。
また、ベッドや枕に温度計を埋め込み、人の体温を測定して空調をコントロールしているものもある（例えば、特許文献２参照）。
【０００３】
【特許文献１】特開平０５−０８８７５８号公報
【特許文献２】特開平０７−０４２９９９号公報
【発明の開示】
【発明が解決しようとする課題】
【０００４】
従来のおやすみモード付空気調和機は、同モードの動作時間に応じて目標温度を徐々に室温に近づけていくものや、空気調和機の吸い込み温度に応じて目標温度をユーザの設定温度より室温に近いところに設定するものであったが、これらの方法ではユーザの入眠までの個体差は考慮されず一義的な制御となってしまっていた。
また、特許文献１に記載の従来の技術では、予め設定された最適な体温履歴に近づくように空調がコントロールされるため個々のユーザ、さらにはユーザの時々の状態差を考慮することはできない。また、特許文献２に記載の従来の技術は、ユーザが温度計に接している必要があるためユーザの寝返りなどに対応できない、温度計への接触部位が変わることでの温度変化の影響を受けるなどの課題があった。
【０００５】
本発明は、前記のような課題を解決するためになされたもので、第１の目的はユーザに健康で快適な眠りを提供することができる空気調和機を得るものである。
【０００６】
また、第２の目的は無駄な運転をなくすことで省エネ効果を得ることができる空気調和機を得るものである。
【課題を解決するための手段】
【０００７】
本発明に係る空気調和機は、ユーザの体温を検知する非接触型の人体温度検知手段と、覚醒時体温、入眠前体温上昇、入眠時体温及び睡眠時体温の睡眠体温特性がデータとして格納された記憶手段と、おやすみモード時に人体温度検知手段を通してユーザの体温を測定し、その体温を睡眠体温特性と照らし合わせてユーザの入眠前、入眠及び睡眠中を順次に判別する入眠判別手段と、入眠判別手段の判別順に従って本機を制御する制御手段とを備え、入眠判別手段は、おやすみモード以外において、ユーザの入眠を検知したときにうたた寝と判断し、制御手段は、入眠判別手段によりうたた寝と判断されたとき、その判断に応じて本機を制御する。
【発明の効果】
【０００８】
本発明によれば、非接触型の人体温度検知手段を搭載したので、ユーザの就寝姿勢に関係なく確実に体温を測定でき、このため、ユーザの入眠の判別が可能になり、これにより時間や室内温度のみによる画一的な空調コントロールではなく、ユーザの体温や睡眠状態に応じて適切な空調コントロールが可能となり、寝冷えやだるさ等の諸症状を軽減し健康的で快適な睡眠を提供することができる。
【発明を実施するための最良の形態】
【０００９】
実施の形態１．
図１は本発明の実施の形態１に係る空気調和機の室内機を示す正面図、図２は実施の形態１における入眠判断時の動作を示すフローチャート、図３は人の睡眠時の体温変化を示す睡眠体温特性図、図４は実施の形態１における制御フローチャートである。
図１において、室内機１の正面には、下部側に温風／冷風などを上下左右に吹き出すための上下フラップ／左右ベーン３が設けられ、上部側に室内の空気を吸い込むための空気吸込口４が設けられている。図示していないが、空気吸込口４の内側に室温検知手段であるサーミスタが設けられている。また、上下フラップ／左右ベーン３の間にユーザの体温を検知する非接触型の人体温度検知手段である赤外線センサ２が配置され、さらに、リモコン（図示せず）からの赤外線信号を受信する受光部５が設置されている。前述した赤外線センサ２は、床面側に向けられた固定型でも良いし、上下左右に向きを変えられる可動型でも良い。
【００１０】
室内機１の中に設けられたマイコン６は、おやすみモード時に赤外線センサ２を通してユーザの体温を測定し、その体温を後述する睡眠体温特性と照らし合わせてユーザの入眠前、入眠及び睡眠中を順次に判別する入眠判別手段と、この入眠判別手段の判別順に従って空気調和機をコントロールする制御手段とを備えている。前述した睡眠体温特性は、図３に示すように、覚醒時体温Ｔ１を基準とする、入眠体温上昇ΔＴ１２、入眠時体温Ｔ２及び睡眠時体温Ｔ３を有する体温変化で、メモリ７にデータとして格納されている。
【００１１】
ここで、マイコン６の入眠判別手段によるユーザの入眠判断時の動作について図２に基づいて詳述する。
おやすみモードに入ったとき、赤外線センサ２を通してユーザの体温を測定し、メモリ７に格納された睡眠体温特性と照らし合わせていく。まず、その体温が覚醒時体温Ｔ１から入眠前体温上昇のΔＴ１２上がったかどうかを判定し（Ｓ１）、体温がΔＴ１２上昇していないときは同じ動作を繰り返し、測定した体温がΔＴ１２上昇したときは入眠前の兆候ありと判断して（Ｓ２）、その旨を制御手段に通知する。その後、入眠時の体温Ｔ２まで下がったかどうかを判定し（Ｓ３）、体温が入眠時体温Ｔ２まで下がっていないときは同じ動作を繰り返し、体温が入眠時体温Ｔ２まで下がったときにユーザが入眠したと推定して（Ｓ４）、その旨を制御手段に通知する。そして、ユーザの体温がさらに下がって睡眠時の体温Ｔ３まで低下したかどうかを判定し（Ｓ５）、睡眠時体温Ｔ３まで下がっていないときはその動作を繰り返し、体温が睡眠時体温Ｔ３まで低下したときに睡眠中と判断して（Ｓ６）、その旨を制御手段に通知する。
【００１２】
次に、マイコン６の制御手段の動作について図４に基づいて説明する。
おやすみモード時、入眠判別手段から入眠前兆候の通知があったかどうかを判定し（Ｓ１１）、その通知がなかったときは、リモコン操作に応じた通常の空調コントロールを維持し（Ｓ１３）、入眠前兆候の通知を検知したときは、風音が一定のレベル以下になるように風量のコントロール、夏場においては、ユーザが暑さを感じて覚醒しないように設定温度を下げる等の空調コントロールを行う（Ｓ１２）。その後、入眠推定の通知があったかどうかを判定し（Ｓ１４）、入眠推定の通知がなかったときは、前述した入眠前空調コントロールを維持し（Ｓ１７）、入眠推定の通知を検知したときは、ユーザの寝冷えを防止するように設定温度を徐々に室温に近い状態にシフトするように空調コントロールを行う（Ｓ１５）。
【００１３】
その空調コントロールを行っているときに、ユーザの睡眠確定の通知を受けたときは、入眠推定時の空調コントロールを行うと共に、リモコン操作による切タイマの動作時間がタイムアップしたかどうかを判定する（Ｓ１６）。タイムアップしていないときは入眠推定時の空調コントロールを維持し、タイムアップを検知したときは、前述した一連の動作で得た体温変化をユーザの睡眠体温特性としてメモリ７に記憶し（Ｓ１８）、室内機１の運転を停止して空気調和機そのものの運転を停止させる。
【００１４】
図４に示していないが、メモリ７に格納されたユーザの睡眠体温特性が、おやすみモードの繰り返しにより複数得られた場合、入眠判別手段は、その複数の睡眠体温特性からユーザの体温の変動幅を算出し、この変動幅を基にメモリ７にデータとして格納された睡眠体温特性の入眠前体温上昇ΔＴ１２と入眠時体温Ｔ２をそれぞれ補正し、これを定期的に行うようになっている。
【００１５】
以上のように実施の形態１によれば、室内機１に赤外線センサ２を搭載したので、ユーザの睡眠姿勢に関係なく確実に体温を測定でき、このため、ユーザの入眠の判別が可能になり、これにより時間や室内温度のみによる画一的な空調コントロールではなく、ユーザの体温や睡眠状態に応じて適切な空調コントロールが可能となり、また、入眠推定時に設定温度を徐々に室温に近い状態にシフトするようにしたので、寝冷えやだるさ等の諸症状を軽減し健康的で快適な睡眠を提供することができる。
【００１６】
また、ユーザの睡眠体温特性が、おやすみモードの繰り返しにより複数得られた場合に、その複数の睡眠体温特性からユーザの体温の変動幅を算出し、この変動幅を基にメモリ７にデータとして格納された睡眠体温特性の入眠前体温上昇ΔＴ１２と入眠時体温Ｔ２をそれぞれ補正し、これを定期的に行うようにしているので、ユーザの入眠前及び入眠時をより正確に検知することが可能になり、快適な睡眠を提供することができる。
【００１７】
なお、前記の実施の形態１では、切タイマの動作時間がタイムアップしたときに、室内機１の運転を停止して空気調和機そのものの運転を停止させるようにしたが、切タイマ時の動作において、入眠判別手段によりユーザの入眠が判別されてから所定時間経過したときに、切タイマ動作前であっても室内機１の運転を停止して空気調和機そのものの運転を停止させるようにしても良い。これにより、切タイマの設定時間の長過ぎによる寝冷えやだるさ等の諸症状を抑えることが可能になり、省エネ効果も期待することができる。
【００１８】
また、入眠推定時に、ユーザによって設定された温度が徐々に室温に近い状態になるようにしたが、これに加えて湿度検知手段である湿度センサも空気吸込口４に設けて、その検知湿度に応じて室内の湿度もコントロールするようにしても良い。これにより、より快適な睡眠を提供することができる。
【００１９】
また、季節に応じて得られた睡眠体温特性をデータとしてメモリ７に格納し、おやすみモード時に、入眠判別手段が運転モードから季節を判別して当該季節の睡眠体温特性を選択して、赤外線センサ２で得られるユーザの体温と照らし合わせるようにしても良い。これにより、ユーザの入眠前及び入眠時をより正確に検知することが可能になり、快適な睡眠を提供することができる。
【００２０】
実施の形態２．
実施の形態１では、赤外線センサ２を用いて就寝のユーザの体温を測定し、体温の変化からユーザの睡眠状態を判別するようにしたものであるが、実施の形態２は、就寝のユーザの呼吸回数から睡眠状態を判別するようにしたものであり、以下、図５乃至図７を用いて説明する。
【００２１】
図５は本発明の実施の形態２に係る空気調和機のリモコンを示す概略ブロック図、図６は人の睡眠時の呼吸変化を示す睡眠呼吸特性図、図７は実施の形態２における入眠判断時の動作を示すフローチャートである。なお、実施の形態２においては、赤外線センサ２が無いものとして、図１に示す室内機１を用いて説明する。
【００２２】
図５において、リモコン１１は、赤外線信号を送信するためのＬＥＤ１２と、スイッチ操作に基づいて信号を生成し、ＬＥＤ１２に送信するマイコン１３と、マイコン１３を動作させるための制御プログラムが格納されたメモリ１５と、就寝のユーザの呼吸を検知し、その都度、検知信号を出力する気圧センサ１４（気圧検知手段）とを備えている。前述したマイコン１３は、おやすみモード時に気圧センサ１４からの検知信号を読み込み、ＬＥＤ１２を通して室内機１の受光部５に送信する。このリモコン１１は、ユーザが就寝するとき、呼吸を検知するために近くに置かれる。
【００２３】
実施の形態２における室内機１のマイコン６は、おやすみモード時に、リモコン１１からの検知信号が受信されると、所定時間の間、その受信回数を測定してユーザの呼吸回数とし、その呼吸回数を後述する睡眠呼吸特性と照らし合わせ、これを繰り返してユーザの入眠前及び入眠を順次に判別する入眠判別手段と、入眠判別手段の判別順に従って空気調和機をコントロールする制御手段とを備えている。メモリ７には、図６に示すように、入眠前及び入眠時の呼吸回数の変化を示す睡眠呼吸特性がデータとして格納されている。この睡眠呼吸特性は、人が横になってから入眠するまで呼吸回数が徐々に減少する傾向にあり、その後、覚醒時よりは少ない呼吸回数で落ち着くというデータから得られたものである。
【００２４】
ここで、マイコン６の入眠判別手段によるユーザの入眠判断時の動作について図７に基づいて詳述する。
おやすみモードに入ったとき、気圧センサ１４からの検知信号の受信回数、即ち呼吸回数が減少しているかどうかを判定する（Ｓ２１）。この呼吸回数は、所定時間の間に測定したもので、これを繰り返し行っている。その呼吸回数が減少していないときは同じ動作を繰り返し、呼吸回数が低下したときは入眠前の兆候と判断して（Ｓ２２）、その旨を制御手段に通知する。その後、所定時間Ｔｘ前と比べ呼吸回数がさらに低下したかどうかを判定し（Ｓ２３）、呼吸回数が減少していないときは同じ動作を繰り返し、呼吸回数の低下が続いたときはユーザが入眠したと推定して（Ｓ２４）、その旨を制御手段に通知する。
【００２５】
次に、図示していないが、実施の形態２におけるマイコン６の制御手段の動作について説明する。
おやすみモード時、入眠判別手段から入眠前兆候の通知があったかどうかを判定し、その通知がなかったときは、リモコン操作に応じた通常の空調コントロールを維持し、入眠前兆候の通知を検知したときは、風音が一定のレベル以下になるように風量のコントロール、夏場においては、ユーザが暑さを感じて覚醒しないように設定温度を下げる等の空調コントロールを行う。その後、入眠推定の通知があったかどうかを判定し、入眠推定の通知がなかったときは、前述した入眠前空調コントロールを維持し、入眠推定の通知を検知したときは、ユーザの寝冷えを防止するように設定温度を徐々に室温に近い状態にシフトするように空調コントロールを行い、リモコン操作による切タイマの動作時間がタイムアップしたかどうかを判定する。タイムアップしていないときは入眠推定時の空調コントロールを維持し、タイムアップを検知したときは、室内機１の運転を停止して空気調和機そのものの運転を停止させる。
【００２６】
以上のように実施の形態２によれば、リモコン１１に気圧センサ１４を設けて、この気圧センサ１４の検知によるユーザの呼吸の回数から入眠前及び入眠を判断するようにしたので、時間や室内温度のみによる画一的な空調コントロールではなく、睡眠状態に応じて適切な空調コントロールが可能となり、また、入眠推定時に設定温度を徐々に室温に近い状態にシフトするようにしたので、寝冷えやだるさ等の諸症状を軽減し健康的で快適な睡眠を提供することができる。
【００２７】
なお、前記の実施の形態２では、切タイマの動作時間がタイムアップしたときに、室内機１の運転を停止して空気調和機そのものの運転を停止させるようにしたが、切タイマ時の動作において、入眠判別手段によりユーザの入眠が判別されてから所定時間経過したときに、切タイマ動作前であっても室内機１の運転を停止して空気調和機そのものの運転を停止させるようにしても良い。これにより、切タイマの設定時間の長過ぎによる寝冷えやだるさ等の諸症状を抑えることが可能になり、省エネ効果も期待することができる。
【００２８】
また、入眠推定時に、ユーザによって設定された温度が徐々に室温に近い状態になるようにしたが、これに加えて湿度検知手段である湿度センサも空気吸込口４に設けて、その検知湿度に応じて室内の湿度もコントロールするようにしても良い。これにより、より快適な睡眠を提供することができる。
【００２９】
実施の形態３．
実施の形態１では、ユーザの体温から睡眠状態を判別するようにし、実施の形態２では、ユーザの呼吸回数の変化から睡眠状態を判別するようにしたが、実施の形態３は、ユーザの寝返り回数から睡眠状態を判別するようにしたものである。実施の形態３においては、図１に示す室内機１を用いて説明する。なお、図１には赤外センサ２が設けられているが、これに代えて、ユーザの画像を取得するＣＣＤカメラ（画像入力手段）が設けられているものとし、相当部分には同じ符号を付して説明する。また、ＣＣＤカメラの符号として「８」を付して説明する。なお、ＣＣＤカメラをリモコンに受けても良い。また、ＣＣＤカメラに代えて高解像度の赤外線センサでも良い。
【００３０】
実施の形態３における室内機１のマイコン６は、おやすみモード時にＣＣＤカメラ８を通して所定時間の間のユーザの寝返り回数を繰り返し測定し、その寝返り回数を後述する睡眠寝返り特性と照らし合わせてユーザの入眠前及び入眠を順次に判別する入眠判別手段と、入眠判別手段の判別順に従って空気調和機を制御する制御手段とを備えている。メモリ７には、図示していないが、入眠前及び入眠時の寝返り回数の変化を示す睡眠寝返り特性がデータとして格納されている。その睡眠寝返り特性は、ユーザが就寝してから覚醒するまでの間にＣＣＤカメラ８によって取得されたデータで、各ユーザによって行われる。
【００３１】
睡眠時の寝返り回数は人によって個体差があるが、その回数は人によってほぼ一定であると言われていることから、ユーザの睡眠時の寝返り回数を獲得した後であれば、その寝返り回数に基づいてユーザの睡眠状態を推定することが可能となる。具体的には、ある一定時間のうちに寝返りがＡ回あるユーザであればその一定時間内に寝返りする回数がＡ回近傍である場合に睡眠状態にあると推定される。覚醒時はユーザの意識的な寝返りが多くなるため、睡眠時とは異なる傾向があることによるものである。
【００３２】
ここで、マイコン６の入眠判別手段によるユーザの入眠判断時の動作について図８に基づいて詳述する。図８は実施の形態３における入眠判断時の動作を示すフローチャートである。
おやすみモードに入ったとき、ＣＣＤカメラ８を通して所定時間の間のユーザの寝返り回数を測定し、寝返り回数が減少しているかどうかを判定する（Ｓ３１）。この寝返り回数は、前述した如く所定時間の間に測定したもので、これを繰り返し行っている。その寝返り回数が減少していないときは同じ動作を繰り返し、寝返り回数が低下したときは入眠前の兆候と判断して（Ｓ３２）、その旨を制御手段に通知する。その後、所定時間Ｔｙ前と比べ寝返り回数がさらに低下したかどうかを判定する（Ｓ３３）。所定時間Ｔｙは、図６に示す時間Ｔｘとほぼ同じ時間である。寝返り回数が減少していないときは同じ動作を繰り返し、寝返り回数の低下が続いたときはユーザが入眠したと推定して（Ｓ３４）、その旨を制御手段に通知する。
【００３３】
次に、図示していないが、実施の形態３におけるマイコン６の制御手段の動作について説明する。
おやすみモード時、入眠判別手段から入眠前兆候の通知があったかどうかを判定し、その通知がなかったときは、リモコン操作に応じた通常の空調コントロールを維持し、入眠前兆候の通知を検知したときは、風音が一定のレベル以下になるように風量のコントロール、夏場においては、ユーザが暑さを感じて覚醒しないように設定温度を下げる等の空調コントロールを行う。その後、入眠推定の通知があったかどうかを判定し、入眠推定の通知がなかったときは、前述した入眠前空調コントロールを維持し、入眠推定の通知を検知したときは、ユーザの寝冷えを防止するように設定温度を徐々に室温に近い状態にシフトするように空調コントロールを行い、リモコン操作による切タイマの動作時間がタイムアップしたかどうかを判定する。タイムアップしていないときは入眠推定時の空調コントロールを維持し、タイムアップを検知したときは、室内機１の運転を停止して空気調和機そのものの運転を停止させる。
【００３４】
以上のように実施の形態３によれば、室内機１にＣＣＤカメラ８を設けて、このＣＣＤカメラ８の撮影によるユーザの寝返り回数から入眠前及び入眠を判断するようにしたので、時間や室内温度のみによる画一的な空調コントロールではなく、睡眠状態に応じて適切な空調コントロールが可能となり、また、入眠推定時に設定温度を徐々に室温に近い状態にシフトするようにしたので、寝冷えやだるさ等の諸症状を軽減し健康的で快適な睡眠を提供することができる。
【００３５】
なお、前記の実施の形態３では、切タイマの動作時間がタイムアップしたときに、室内機１の運転を停止して空気調和機そのものの運転を停止させるようにしたが、切タイマ時の動作において、入眠判別手段によりユーザの入眠が判別されてから所定時間経過したときに、切タイマ動作前であっても室内機１の運転を停止して空気調和機そのものの運転を停止させるようにしても良い。これにより、切タイマの設定時間の長過ぎによる寝冷えやだるさ等の諸症状を抑えることが可能になり、省エネ効果も期待することができる。
【００３６】
また、入眠推定時に、ユーザによって設定された温度が徐々に室温に近い状態になるようにしたが、これに加えて湿度検知手段である湿度センサも空気吸込口４に設けて、その検知湿度に応じて室内の湿度もコントロールするようにしても良い。これにより、より快適な睡眠を提供することができる。
【００３７】
実施の形態４．
実施の形態１では、ユーザの体温から睡眠状態を判別するようにし、実施の形態２では、ユーザの呼吸回数の変化から睡眠状態を判別するようにし、また、実施の形態３では、ユーザの寝返り回数から睡眠状態を判別するようにしたが、実施の形態４は、ユーザの体温と呼吸回数の変化から睡眠状態を判別するようにしたものである。
【００３８】
実施の形態４においては、室内機１に赤外線センサ２が設置され、リモコン１１に気圧センサ１４が設けられており、メモリ７には、覚醒時体温Ｔ１、入眠前体温上昇ΔＴ１２、入眠時体温Ｔ２及び睡眠時体温Ｔ３の睡眠体温特性と、入眠前及び入眠時の呼吸回数の変化を示す睡眠呼吸特性とがそれぞれデータとして格納されている。室内機１のマイコン６は、おやすみモード時に赤外線センサ２を通してユーザの体温を測定すると共に、気圧センサ１４を通して所定時間の間のユーザの呼吸回数を繰り返し測定し、前記体温を睡眠体温特性と照らし合わせると共に、前記呼吸回数を睡眠呼吸特性と照らし合わせ、これらからユーザの入眠前及び入眠を順次に判別し、そして、前記体温と睡眠体温特性との照らし合わせからユーザの睡眠中を判別する入眠判別手段と、入眠判別手段の判別順に従って空気調和機を制御する制御手段とを備えている。
【００３９】
前述した入眠判別手段は、ユーザの入眠前及び入眠を、ユーザの体温と呼吸回数のうち先に得られた情報から判別するようにしている。また、入眠判別手段は、ユーザの睡眠体温特性が、おやすみモードの繰り返しにより複数得られた場合に、その複数の睡眠体温特性からユーザの体温の変動幅を算出し、この変動幅を基にメモリ７にデータとして格納された睡眠体温特性の入眠前体温上昇ΔＴ１２と入眠時体温Ｔ２をそれぞれ補正し、これを定期的に行うようにしている。
【００４０】
制御手段は、入眠推定の通知を検知したときは、ユーザの寝冷えを防止するように設定温度を徐々に室温に近い状態にシフトするように空調コントロールを行う。また、切タイマの動作時間がタイムアップしたときに、室内機１の運転を停止して空気調和機そのものの運転を停止させるようにし、また、切タイマ時の動作において、入眠判別手段によりユーザの入眠が判別されてから所定時間経過したときに、切タイマ動作前であっても室内機１の運転を停止して空気調和機そのものの運転を停止させるようにしている。
【００４１】
以上のように実施の形態４によれば、室内機１に赤外線センサ２を設け、リモコン１１に気圧センサ１４を設けたので、ユーザの睡眠姿勢に関係なく確実に体温を測定でき、このため、ユーザの入眠の判別が可能になり、これにより時間や室内温度のみによる画一的な空調コントロールではなく、ユーザの体温や睡眠状態に応じて適切な空調コントロールが可能となり、また、入眠推定時に設定温度を徐々に室温に近い状態にシフトするようにしたので、寝冷えやだるさ等の諸症状を軽減し健康的で快適な睡眠を提供することができる。
【００４２】
また、ユーザの睡眠体温特性が、おやすみモードの繰り返しにより複数得られた場合に、その複数の睡眠体温特性からユーザの体温の変動幅を算出し、この変動幅を基にメモリ７にデータとして格納された睡眠体温特性の入眠前体温上昇ΔＴ１２と入眠時体温Ｔ２をそれぞれ補正し、これを定期的に行うようにしているので、ユーザの入眠前及び入眠時をより正確に検知することが可能になり、快適な睡眠を提供することができる。
【００４３】
また、切タイマ時の動作において、入眠判別手段によりユーザの入眠が判別されてから所定時間経過したときに、切タイマ動作前であっても室内機１の運転を停止して空気調和機そのものの運転を停止させるようにしているので、切タイマの設定時間の長過ぎによる寝冷えやだるさ等の諸症状を抑えることが可能になり、省エネ効果も期待することができる。
【００４４】
なお、前記の実施の形態４では、入眠推定時に、ユーザによって設定された温度が徐々に室温に近い状態になるようにしたが、これに加えて湿度検知手段である湿度センサも空気吸込口４に設けて、その検知湿度に応じて室内の湿度もコントロールするようにしても良い。これにより、より快適な睡眠を提供することができる。
【００４５】
また、季節に応じて得られた睡眠体温特性をデータとしてメモリ７に格納し、おやすみモード時に、入眠判別手段が運転モードから季節を判別して当該季節の睡眠体温特性を選択して、赤外線センサ２で得られるユーザの体温と照らし合わせるようにしても良い。これにより、ユーザの入眠前及び入眠時をより正確に検知することが可能になり、快適な睡眠を提供することができる。
【００４６】
実施の形態５．
実施の形態４では、ユーザの体温と呼吸回数の変化から睡眠状態を判別するようにしたが、実施の形態５は、ユーザの体温と寝返り回数の変化から睡眠状態を判別するようにしたものである。
【００４７】
実施の形態５においては、室内機１に赤外線センサ２とＣＣＤカメラ８が設けられており、メモリ７には、覚醒時体温Ｔ１、入眠前体温上昇ΔＴ１２、入眠時体温Ｔ２及び睡眠時体温Ｔ３の睡眠体温特性と、入眠前及び入眠時の寝返り回数の変化を示す睡眠寝返り特性とがそれぞれデータとして格納されている。室内機１のマイコン６は、おやすみモード時に赤外線センサ２を通してユーザの体温を測定すると共に、ＣＣＤカメラ８を通して所定時間の間のユーザの寝返り回数を繰り返し測定し、前記体温を睡眠体温特性と照らし合わせると共に、前記呼吸回数を睡眠寝返り特性と照らし合わせ、これらからユーザの入眠前及び入眠を順次に判別し、そして、前記体温と睡眠体温特性との照らし合わせからユーザの睡眠中を判別する入眠判別手段と、入眠判別手段の判別順に従って空気調和機を制御する制御手段とを備えている。前述した睡眠寝返り特性は、実施の形態３で述べたように、ユーザが就寝してから覚醒するまでの間にＣＣＤカメラ８によって取得されたデータである。
【００４８】
前述した入眠判別手段は、ユーザの入眠前及び入眠を、ユーザの体温と寝返り回数のうち先に得られた情報から判別するようにしている。また、入眠判別手段は、ユーザの睡眠体温特性が、おやすみモードの繰り返しにより複数得られた場合に、その複数の睡眠体温特性からユーザの体温の変動幅を算出し、この変動幅を基にメモリ７にデータとして格納された睡眠体温特性の入眠前体温上昇ΔＴ１２と入眠時体温Ｔ２をそれぞれ補正し、これを定期的に行うようにしている。
【００４９】
制御手段は、入眠推定の通知を検知したときは、ユーザの寝冷えを防止するように設定温度を徐々に室温に近い状態にシフトするように空調コントロールを行う。また、切タイマの動作時間がタイムアップしたときに、室内機１の運転を停止して空気調和機そのものの運転を停止させるようにし、また、切タイマ時の動作において、入眠判別手段によりユーザの入眠が判別されてから所定時間経過したときに、切タイマ動作前であっても室内機１の運転を停止して空気調和機そのものの運転を停止させるようにしている。
【００５０】
以上のように実施の形態５によれば、室内機１に赤外線センサ２とＣＣＤカメラ８を設けたので、ユーザの睡眠姿勢に関係なく確実に体温を測定でき、このため、ユーザの入眠の判別が可能になり、これにより時間や室内温度のみによる画一的な空調コントロールではなく、ユーザの体温や睡眠状態に応じて適切な空調コントロールが可能となり、また、入眠推定時に設定温度を徐々に室温に近い状態にシフトするようにしたので、寝冷えやだるさ等の諸症状を軽減し健康的で快適な睡眠を提供することができる。
【００５１】
また、ユーザの睡眠体温特性が、おやすみモードの繰り返しにより複数得られた場合に、その複数の睡眠体温特性からユーザの体温の変動幅を算出し、この変動幅を基にメモリ７にデータとして格納された睡眠体温特性の入眠前体温上昇ΔＴ１２と入眠時体温Ｔ２をそれぞれ補正し、これを定期的に行うようにしているので、ユーザの入眠前及び入眠時をより正確に検知することが可能になり、快適な睡眠を提供することができる。
【００５２】
また、切タイマ時の動作において、入眠判別手段によりユーザの入眠が判別されてから所定時間経過したときに、切タイマ動作前であっても室内機１の運転を停止して空気調和機そのものの運転を停止させるようにしているので、切タイマの設定時間の長過ぎによる寝冷えやだるさ等の諸症状を抑えることが可能になり、省エネ効果も期待することができる。
【００５３】
なお、前記の実施の形態５では、入眠推定時に、ユーザによって設定された温度が徐々に室温に近い状態になるようにしたが、これに加えて湿度検知手段である湿度センサも空気吸込口４に設けて、その検知湿度に応じて室内の湿度もコントロールするようにしても良い。これにより、より快適な睡眠を提供することができる。
【００５４】
また、季節に応じて得られた睡眠体温特性をデータとしてメモリ７に格納し、おやすみモード時に、入眠判別手段が運転モードから季節を判別して当該季節の睡眠体温特性を選択して、赤外線センサ２で得られるユーザの体温と照らし合わせるようにしても良い。これにより、ユーザの入眠前及び入眠時をより正確に検知することが可能になり、快適な睡眠を提供することができる。
【００５５】
実施の形態６．
実施の形態５では、ユーザの体温と寝返り回数の変化から睡眠状態を判別するようにしが、実施の形態６は、ユーザの呼吸回数と寝返り回数の変化から睡眠状態を判別するようにしたものである。
【００５６】
実施の形態６においては、室内機１にＣＣＤカメラ８が設置され、リモコン１１に気圧センサ１４が設けられており、メモリ７には、入眠前及び入眠時の呼吸回数の変化を示す睡眠呼吸特性と、入眠前及び入眠時の寝返り回数の変化を示す睡眠寝返り特性とがそれぞれデータとして格納されている。室内機１のマイコン６は、おやすみモード時に気圧センサ１４を通して所定時間の間のユーザの呼吸回数を繰り返し測定すると共に、ＣＣＤカメラ８を通して所定時間の間のユーザの寝返り回数を繰り返し測定し、前記呼吸回数を睡眠呼吸特性と照らし合わせると共に、前記呼吸回数を睡眠寝返り特性と照らし合わせ、これらからユーザの入眠前及び入眠を順次に判別する入眠判別手段と、入眠判別手段の判別順に従って空気調和機を制御する制御手段とを備えている。前述した睡眠寝返り特性は、実施の形態３で述べたように、ユーザが就寝してから覚醒するまでの間にＣＣＤカメラ８によって取得されたデータである。
【００５７】
前述した入眠判別手段は、ユーザの入眠前及び入眠を、ユーザの呼吸回数と寝返り回数のうち先に得られた情報から判別するようにしている。制御手段は、入眠推定の通知を検知したときは、ユーザの寝冷えを防止するように設定温度を徐々に室温に近い状態にシフトするように空調コントロールを行う。また、切タイマの動作時間がタイムアップしたときに、室内機１の運転を停止して空気調和機そのものの運転を停止させるようにし、また、切タイマ時の動作において、入眠判別手段によりユーザの入眠が判別されてから所定時間経過したときに、切タイマ動作前であっても室内機１の運転を停止して空気調和機そのものの運転を停止させるようにしている。
【００５８】
以上のように実施の形態６によれば、室内機１にＣＣＤカメラ８を設け、リモコン１１に気圧センサ１４を設けたので、ユーザの睡眠姿勢に関係なく確実に体温を測定でき、このため、ユーザの入眠の判別が可能になり、これにより時間や室内温度のみによる画一的な空調コントロールではなく、ユーザの体温や睡眠状態に応じて適切な空調コントロールが可能となり、また、入眠推定時に設定温度を徐々に室温に近い状態にシフトするようにしたので、寝冷えやだるさ等の諸症状を軽減し健康的で快適な睡眠を提供することができる。
【００５９】
また、切タイマ時の動作において、入眠判別手段によりユーザの入眠が判別されてから所定時間経過したときに、切タイマ動作前であっても室内機１の運転を停止して空気調和機そのものの運転を停止させるようにしているので、切タイマの設定時間の長過ぎによる寝冷えやだるさ等の諸症状を抑えることが可能になり、省エネ効果も期待することができる。
【００６０】
なお、前記の実施の形態６では、入眠推定時に、ユーザによって設定された温度が徐々に室温に近い状態になるようにしたが、これに加えて湿度検知手段である湿度センサも空気吸込口４に設けて、その検知湿度に応じて室内の湿度もコントロールするようにしても良い。これにより、より快適な睡眠を提供することができる。
【００６１】
実施の形態７．
実施の形態７は、ユーザの体温と呼吸回数及び寝返り回数の変化から睡眠状態を判別するようにしたものである。
実施の形態７においては、室内機１に赤外線センサ２とＣＣＤカメラ８とが設置され、リモコン１１に気圧センサ１４が設けられており、メモリ７には、覚醒時体温Ｔ１、入眠前体温上昇ΔＴ１２、入眠時体温Ｔ２及び睡眠時体温Ｔ３の睡眠体温特性と、入眠前及び入眠時の呼吸回数の変化を示す睡眠呼吸特性と、入眠前及び入眠時の寝返り回数の変化を示す睡眠寝返り特性とがそれぞれデータとして格納されている。室内機６のマイコンは、おやすみモード時に赤外線センサ２を通してユーザの体温を測定し、気圧センサを通して所定時間の間のユーザの呼吸回数を繰り返し測定すると共に、ＣＣＤカメラ８を通して所定時間の間のユーザの寝返り回数を繰り返し測定し、前記体温を睡眠体温特性と照らし合わせると共に、前記呼吸回数を睡眠呼吸特性と照らし合わせ、かつ、前記寝返り回数を睡眠寝返り特性と照らし合わせ、これらからユーザの入眠前及び入眠を順次に判別し、そして、前記体温と睡眠体温特性との照らし合わせからユーザの睡眠中を判別する入眠判別手段と、入眠判別手段の判別順に従って空気調和機を制御する制御手段とを備えている。前述した睡眠寝返り特性は、実施の形態３で述べたように、ユーザが就寝してから覚醒するまでの間にＣＣＤカメラ８によって取得されたデータである。
【００６２】
前述した入眠判別手段は、ユーザの入眠前及び入眠を、ユーザの体温と呼吸回数及び寝返り回数のうち先に得られた情報から判別するようにしている。また、入眠判別手段は、ユーザの睡眠体温特性が、おやすみモードの繰り返しにより複数得られた場合に、その複数の睡眠体温特性からユーザの体温の変動幅を算出し、この変動幅を基にメモリ７にデータとして格納された睡眠体温特性の入眠前体温上昇ΔＴ１２と入眠時体温Ｔ２をそれぞれ補正し、これを定期的に行うようにしている。
【００６３】
制御手段は、入眠推定の通知を検知したときは、ユーザの寝冷えを防止するように設定温度を徐々に室温に近い状態にシフトするように空調コントロールを行う。また、切タイマの動作時間がタイムアップしたときに、室内機１の運転を停止して空気調和機そのものの運転を停止させるようにし、また、切タイマ時の動作において、入眠判別手段によりユーザの入眠が判別されてから所定時間経過したときに、切タイマ動作前であっても室内機１の運転を停止して空気調和機そのものの運転を停止させるようにしている。
【００６４】
以上のように実施の形態７によれば、室内機１に赤外線センサ２とＣＣＤカメラ８を設置し、リモコン１１に気圧センサ１４を設けたので、ユーザの睡眠姿勢に関係なくより確実に体温を測定でき、このため、ユーザの入眠の判別が可能になり、これにより時間や室内温度のみによる画一的な空調コントロールではなく、ユーザの体温や睡眠状態に応じて適切な空調コントロールが可能となり、また、入眠推定時に設定温度を徐々に室温に近い状態にシフトするようにしたので、寝冷えやだるさ等の諸症状を軽減し健康的で快適な睡眠を提供することができる。
【００６５】
また、ユーザの睡眠体温特性が、おやすみモードの繰り返しにより複数得られた場合に、その複数の睡眠体温特性からユーザの体温の変動幅を算出し、この変動幅を基にメモリ７にデータとして格納された睡眠体温特性の入眠前体温上昇ΔＴ１２と入眠時体温Ｔ２をそれぞれ補正し、これを定期的に行うようにしているので、ユーザの入眠前及び入眠時をより正確に検知することが可能になり、快適な睡眠を提供することができる。
【００６６】
また、切タイマ時の動作において、入眠判別手段によりユーザの入眠が判別されてから所定時間経過したときに、切タイマ動作前であっても室内機１の運転を停止して空気調和機そのものの運転を停止させるようにしているので、切タイマの設定時間の長過ぎによる寝冷えやだるさ等の諸症状を抑えることが可能になり、省エネ効果も期待することができる。
【００６７】
なお、前記の実施の形態７では、入眠推定時に、ユーザによって設定された温度が徐々に室温に近い状態になるようにしたが、これに加えて湿度検知手段である湿度センサも空気吸込口４に設けて、その検知湿度に応じて室内の湿度もコントロールするようにしても良い。これにより、より快適な睡眠を提供することができる。
【００６８】
また、季節に応じて得られた睡眠体温特性をデータとしてメモリ７に格納し、おやすみモード時に、入眠判別手段が運転モードから季節を判別して当該季節の睡眠体温特性を選択して、赤外線センサ２で得られるユーザの体温と照らし合わせるようにしても良い。これにより、ユーザの入眠前及び入眠時をより正確に検知することが可能になり、快適な睡眠を提供することができる。
【００６９】
前述した各実施の形態では、おやすみモード時にユーザにとって快適な環境となるように空気調和機を制御するようにしたが、おやすみモード以外でユーザの入眠を検知したとき快適な環境となるように空気調和機を制御するようにしても良い。例えば、マイコン６の入眠判別手段が、赤外線センサ２，気圧センサ１４又はＣＣＤカメラ８の何れかを通して、また、これらの組み合わせを通してユーザの入眠を検知したときにうたた寝と判断し、制御手段は、入眠判別手段によってうたた寝と判断されたときに、その判断に従って空気調和機を制御する。その制御としては、夏場においては冷えすぎないように、設定温度を徐々に室温に近づけたり、また、冬場においては寒暖を感じないように制御する。
【図面の簡単な説明】
【００７０】
【図１】本発明の実施の形態１に係る空気調和機の室内機を示す正面図である。
【図２】実施の形態１における入眠判断時の動作を示すフローチャートである。
【図３】人の睡眠時の体温変化を示す睡眠体温特性図である。
【図４】実施の形態１における制御フローチャートである。
【図５】本発明の実施の形態２に係る空気調和機のリモコンを示す概略ブロック図である。
【図６】人の睡眠時の呼吸変化を示す睡眠呼吸特性図である。
【図７】実施の形態２における入眠判断時の動作を示すフローチャートである。
【図８】実施の形態３における入眠判断時の動作を示すフローチャートである。
【符号の説明】
【００７１】
１  室内機、２  赤外線センサ、３  上下フラップ／左右ベーン、４  空気吸込口、
５  受光部、６  マイコン、７  メモリ、１１  リモコン、１２  ＬＥＤ、１３  マイコン、１４  気圧センサ、１５  メモリ。
【図１】
0004902517.tif 000002
【図２】
0004902517.tif 000003
【図３】
0004902517.tif 000004
【図４】
0004902517.tif 000005
【図５】
0004902517.tif 000006
【図６】
0004902517.tif 000007
【図７】
0004902517.tif 000008
【図８】
0004902517.tif 000009